(57)【要約】【課題】ホールカバー取付け状態でのホールカバー周りの見栄えを改善する。【解決手段】バックドアトリム１に形成された略矩形状のサービスホール３に略矩形状のホールカバー５を取り付けるホールカバー取付構造において、第１開口縁３ａに、サービスホール３内側に向かって裏側方向に傾斜する傾斜面９を形成し、第２開口縁３ｂに、バックドアトリム１の表面に対して略垂直な垂直面１２を形成し、第３開口縁３ｃに、延出端面１４ａが第１開口縁３ａ側から第２開口縁３ｂ側に向かって表側方向に傾斜する延出部１４を裏側方向に向かって延設する。ホールカバー５の裏側には、バックドアトリム１の延出端面１４ａに第３開口縁３ｃに沿って当接する当接部１９を有する引掛部１５を突設し、ホールカバー５の外縁６を、バックドアトリム１の垂直面１２に当接させる。【選択図】図２
2012206643.tif 000002
【特許請求の範囲】
【請求項１】
互いに対向する第１開口縁（３ａ）及び第２開口縁（３ｂ）と、これら第１開口縁及び第２開口縁（３ｂ）の両端側で第１開口縁（３ａ）及び第２開口縁（３ｂ）と略直交する方向に延び各々の両端を繋ぐ互いに対向する第３開口縁（３ｃ）及び第４開口縁（３ｄ）とで略矩形状の開口（３）がパネル（１）に形成され、該開口（３）に略矩形状のホールカバー（５）を取り付けるホールカバー取付構造であって、
上記第１開口縁（３ａ）には、開口（３）内側に向かって上記パネル（１）の裏側方向に傾斜する傾斜面（９）が形成され、
上記第２開口縁（３ｂ）には、上記パネル（１）の表面に対して略垂直な垂直面（１２）が形成され、
上記第３開口縁（３ｃ）には、延出部（１４）が上記パネル（１）の裏側方向に向かって延設され、該延出部（１４）の延出端縁（１４ａ）は上記第１開口縁（３ａ）側から第２開口縁（３ｂ）側に向かって上記パネル（１）の表側方向に傾斜し、
上記開口（３）の開口縁には、該開口（３）にホールカバー（５）を取り付けた状態で該ホールカバー（５）を裏側から支持する支持部（１０）が開口（３）内側に向かって突設され、
上記ホールカバー（５）の外縁には、ホールカバー（５）取付け状態で、上記パネル（１）の傾斜面（９）に略平行に対向する傾斜対向面（３１）と、上記パネル（１）の上記第３開口縁（３ｃ）を除く開口縁（３ａ，３ｂ，３ｄ）に係止する係止部（２３）とが形成され、
上記ホールカバー（５）の裏側には、ホールカバー（５）取付け状態で、上記パネル（１）の延出部（１４）の延出端縁（１４ａ）に上記第３開口縁（３ｃ）に沿って当接する当接部（１９）を有する引掛部（１５）が突設され、
上記ホールカバー（５）の上記傾斜対向面（３１）と反対側の外縁（６）は、ホールカバー（５）取付け状態で、上記パネル（１）の垂直面（１２）に当接していることを特徴とするホールカバー取付構造。
【発明の詳細な説明】
【技術分野】
【０００１】
本発明は、パネルに形成された略矩形状の開口に略矩形状のホールカバーを取り付けるホールカバー取付構造に関するものである。
【背景技術】
【０００２】
特許文献１には、パネルに形成された略矩形状の開口に略矩形状のホールカバーを取り付けるホールカバー取付構造が開示されている。このホールカバー取付構造では、上記パネルの開口の一辺に対応する開口縁に、開口内側に向かって上記パネルの裏側方向に傾斜する傾斜面を形成するとともに、該傾斜面に対向する開口縁に上記パネルの表面に対して略垂直な垂直面を形成する。
【先行技術文献】
【特許文献】
【０００３】
【特許文献１】特開２００２−２１１２７６号公報
【発明の概要】
【発明が解決しようとする課題】
【０００４】
しかし、上記特許文献１のようなホールカバー取付構造では、パネルの開口にホールカバーを取り付けた状態において、パネルの垂直面とホールカバーの外縁との間の隙間が製作誤差等により目立ち、見栄えを悪化させる場合がある。また、パネルの外縁が傾斜面を滑ってパネル全体が反垂直面側にずれ、その結果、パネルの垂直面とホールカバーの外縁との間の隙間が広くなり、見栄えを悪化させるおそれがある。
【０００５】
本発明は、かかる点に鑑みてなされたものであり、ホールカバー取付け状態でのホールカバー周りの見栄えを改善することを目的とする。
【課題を解決するための手段】
【０００６】
上記の目的を達成するため、本発明は、上記パネルの垂直面にホールカバーの外縁を当接させた状態で、ホールカバーの反垂直面側への移動を規制したことを特徴とする。
【０００７】
具体的には、請求項１に記載の発明は、互いに対向する第１開口縁及び第２開口縁と、これら第１開口縁及び第２開口縁の両端側で第１開口縁及び第２開口縁と略直交する方向に延び各々の両端を繋ぐ互いに対向する第３開口縁及び第４開口縁とで略矩形状の開口がパネルに形成され、該開口に略矩形状のホールカバーを取り付けるホールカバー取付構造を対象とし、次のような解決手段を講じた。
【０００８】
すなわち、請求項１に記載の発明は、上記第１開口縁には、開口内側に向かって上記パネルの裏側方向に傾斜する傾斜面が形成され、上記第２開口縁には、上記パネルの表面に対して略垂直な垂直面が形成され、上記第３開口縁には、延出部が上記パネルの裏側方向に向かって延設され、該延出部の延出端縁は上記第１開口縁側から第２開口縁側に向かって上記パネルの表側方向に傾斜し、上記開口の開口縁には、該開口にホールカバーを取り付けた状態で該ホールカバーを裏側から支持する支持部が開口内側に向かって突設され、上記ホールカバーの外縁には、ホールカバー取付け状態で、上記パネルの傾斜面に略平行に対向する傾斜対向面と、上記パネルの上記第３開口縁を除く開口縁に係止する係止部とが形成され、上記ホールカバーの裏側には、ホールカバー取付け状態で、上記パネルの延出部の延出端縁に上記第３開口縁に沿って当接する当接部を有する引掛部が突設され、上記ホールカバーの上記傾斜対向面と反対側の外縁は、ホールカバー取付け状態で、上記パネルの垂直面に当接していることを特徴とする。
【発明の効果】
【０００９】
請求項１に係る発明によれば、ホールカバー取付け状態で、パネルの垂直面にホールカバーの外縁が当接するとともに、パネルの延出部の延出端縁がホールカバーの引掛部の当接部に当接してホールカバーの反垂直面側（第１開口縁側）への移動を規制するので、ホールカバーの外縁とパネルの垂直面との間に隙間が生じない。また、ホールカバー取付け状態でホールカバーの傾斜対向面がパネルの傾斜面と略平行に対向するので、傾斜対向面と傾斜面との間に生じる隙間がホールカバーの表側から見えない。したがって、ホールカバー取付け状態におけるホールカバー周りの見栄えが改善される。
【００１０】
また、引掛部の当接部を延出部の延出端縁に当接させることにより、ホールカバーを第３開口縁に沿う方向に位置決めできるので、取付け作業が容易である。
【図面の簡単な説明】
【００１１】
【図１】ホールカバーが取り付けられた状態のバックドアトリムを示す平面図である。
【図２】図１のＡ−Ａ線における断面図である。
【図３】図１のＢ−Ｂ線における断面図である。
【発明を実施するための形態】
【００１２】
以下、本発明の実施形態について図面に基づいて説明する。
【００１３】
図１〜３は、ホールカバー５が取り付けられた状態のパネルとしてのバックドアトリム１（以下、トリム１という）を示す。このトリム１は、樹脂製の内装材であり、図示しない自動車のトランクルームの車幅方向両側に配置されている。
【００１４】
このトリム１には、バックライトの交換等に用いられる開口としてのサービスホール３が、互いに対向する第１開口縁３ａ及び第２開口縁３ｂと、これら第１開口縁３ａ及び第２開口縁３ｂの両端側で第１開口縁３ａ及び第２開口縁３ｂと略直交する方向に延び各々の両端を繋ぐ互いに対向する第３開口縁３ｃ及び第４開口縁３ｄとで略矩形状に形成されている。このサービスホール３には、略矩形状のホールカバー５が開閉可能に取り付けられている。この状態で、ホールカバー５の表面と上記トリム１のサービスホール３周縁とが段差なく連続している。
【００１５】
上記トリム１の第１開口縁３ａには、板状傾斜枠部７がサービスホール３内側に向かって上記トリム１の裏側方向に傾斜するように全体に亘って突設され、該傾斜枠部７のサービスホール３内側の面が、トリム１の裏側方向に向かってサービスホール３内側に傾斜する傾斜面９を構成している。
【００１６】
上記トリム１の第２開口縁３ｂ、第３開口縁３ｃ及び第４開口縁３ｄには、板状垂直枠部１１が上記トリム１の表面に対して略垂直にトリム１の裏側方向に向かって一体に突設されている。この垂直枠部１１のサービスホール３内側の面が、上記トリム１の表面に対して略垂直な垂直面１２を構成している。
【００１７】
上記傾斜枠部７及び垂直枠部１１の先端には、サービスホール３内側に向かって上記トリム１の表面と略平行に延出する板状支持部１０が全周に亘って一体に延設されている。
【００１８】
上記第３開口縁３ｃに対応する支持部１０の先端には、平面視略三角形状の板状延出部１４が、上記トリム１の裏側方向に向かって上記第１開口縁３ａ近傍から上記第３開口縁３ｃの略中央にかけて延設されている。この延出部１４の延出長さは第２開口縁３ｂ側端部から第１開口縁３ａ側に向かって徐々に長くなって第１開口縁３ａ寄りの箇所で最長となり、この最長箇所から第１開口縁３ａ側に向かって徐々に短くなっている。上記延出長さの最長箇所より第２開口縁３ｂ側の延出部１４の延出端縁には、上記第１開口縁３ａ側から第２開口縁３ｂ側に向かって上記トリム１の表側方向に傾斜する延出端面１４ａが形成されている。一方、上記延出長さの最長箇所より第１開口縁３ａ側の延出部１４の延出端縁には、上記第１開口縁３ａ側から第２開口縁３ｂ側に向かって上記トリム１の裏側方向に傾斜する延出端面１６ａが形成され、この延出端面１６ａは、上記傾斜面９と平行になっている。
【００１９】
上記ホールカバー５は、上記トリム１のサービスホール３を覆う略板状のカバー本体部５ａを備えている。また、上記ホールカバー５の外縁６は、上記トリム１の第１開口縁３ａに対向する第１外縁部６ａ、上記トリム１の第２開口縁３ｂに対向する第２外縁部６ｂ、上記トリム１の第３開口縁３ｃに対向する第３外縁部６ｃ、及び上記トリム１の第４開口縁３ｄに対向する第４外縁部６ｄからなる。
【００２０】
上記第３外縁部６ｃ近傍のカバー本体部５ａの裏面には、断面略Ｌ字状の板状引掛部１５が突設されている。この引掛部１５は、板面を第１外縁部６ａ及び第２外縁部６ｂに沿う方向に向けてカバー本体部５ａの裏面から略垂直に突出する突出板部１７と、該突出板部１７の突出端から略垂直に外側に突出する板状当接部１９とを備えている。上記突出板部１７の突出長さは、第１外縁部６ａ側から第２外縁部６ｂ側に向かって徐々に短くなり、上記当接部１９の上記カバー本体部５ａに対向する面１９ａは、上記第１外縁部６ａ側から第２外縁部６ｂ側に向かってカバー本体部５ａ側に傾斜し、上記トリム１の延出部１４の延出端面１４ａに上記第３開口縁３ｃに沿って当接している。上記当接部１９の突出端には、板状延出片部２１が外側に向かって上記引掛部１５の突設方向に傾斜するように延設されている。
【００２１】
上記第４外縁部６ｄ近傍のカバー本体部５ａの裏面には、一対の係止部としての抜け止め爪部２３が、第４外縁部６ｄに沿う方向に互いに間隔を空けて突設されている。また、各抜け止め爪部２３の第３外縁部６ｃ側のカバー本体部５ａの裏面には、平面視三角形状の一対の板状補強リブ２５が略垂直に突設されて各抜け止め爪部２３に連結されている。
【００２２】
上記第４外縁部６ｄの中央近傍のカバー本体部５ａには、略矩形状の取り外し用切欠部２７が形成されている。
【００２３】
上記第３外縁部６ｃの引掛部１５対向箇所、上記第４外縁部６ｄの抜け止め爪部２３対向箇所、及び上記切欠部２７形成箇所を除く上記ホールカバー５の外縁６には、全体に亘って略板状のフランジ部２９が該ホールカバー５の裏側方向に突設されている。このフランジ部２９の先端面は、全体に亘って上記トリム１における支持部１０に表側から当接している。
【００２４】
上記第１外縁部６ａのカバー本体部５ａの外周面と、上記第１外縁部６ａのフランジ部２９の外側の面とは、両者で連続する傾斜対向面３１を構成している。この傾斜対向面３１は、ホールカバー５の内側に向かって該ホールカバー５の裏側方向に傾斜して上記トリム１の傾斜面９に略平行に対向している。
【００２５】
上記傾斜対向面３１を除く上記カバー本体部５ａの外周面と、上記傾斜対向面３１を除くフランジ部２９の外側の面とは、カバー本体部５ａの表面に対して略垂直に形成されている。上記第２外縁部６ｂのカバー本体部５ａの外周面と、上記第２外縁部６ｂのフランジ部２９の外側の面とは、両者で連続する垂直当接面３３をなし、この垂直当接面３３は、トリム１の第２開口縁３ｂの垂直面１２に当接している。
【００２６】
上記傾斜対向面３１及び垂直当接面３３を除くフランジ部２９の外側の面は、上記傾斜対向面３１及び垂直当接面３３を除くカバー本体部５ａの外周面とで、連続する垂直対向面３５をなし、この垂直対向面３５は、上記トリム１の第３開口縁３ｃ及び第４開口縁３ｄの垂直面１２と略平行に対向している。
【００２７】
上記フランジ部２９の内側の面は、全体に亘ってカバー本体部５ａに対して略垂直になっている。
【００２８】
上記のように構成されたホールカバー５をトリム１に取り付けるにはまず、ホールカバー５の裏側をトリム１側に向けてホールカバー５をサービスホール３に対応させ、上記第３外縁部６ｃが第４外縁部６ｄよりもトリム１に接近するようにホールカバー５を傾けて、ホールカバー５の引掛部１５をサービスホール３内に挿入して引掛部１５の延出片部２１を上記トリム１の延出部１４の延出端縁にトリム１の裏側方向から当接させる。次に、この状態で、ホールカバー５の第４外縁部６ｄ側をトリム１側に押圧する。これにより、上記引掛部１５の延出片部２１が反第４外縁部６ｄ側に移動して当接部１９のカバー本体部５ａに対向する面１９ａが上記トリム１の延出部１４の延出端面１４ａに当接し、ホールカバー５が上記第３開口縁３ｃに沿う方向に位置決めされる。一方、抜け止め爪部２３が上記トリム１の第４開口縁３ｄ（支持部１０の先端面１０ａ）により内側に押されて撓み、該第４開口縁３ｄ（先端面１０ａ）を通過して離れ、該第４開口縁３ｄ（先端面１０ａ）の押圧力から解放されて外方に復帰して上記トリム１の第４開口縁３ｄ（先端面１０ａ）に係止し、トリム１のサービスホール３がホールカバー５により閉じられる。
【００２９】
このような取付け状態では、トリム１の第２開口縁３ｂの垂直面１２にホールカバー５の第２外縁部６ｂが当接するとともに、トリム１の延出部１４の延出端面１４ａがホールカバー５の引掛部１５の当接部１９のカバー本体部５ａに対向する面１９ａに当接してホールカバー５の第１開口縁３ａ側への移動を規制するので、ホールカバー５の垂直当接面３３とトリム１の垂直面１２との間に隙間が生じない。また、ホールカバー５取付け状態でホールカバー５の傾斜対向面３１がトリム１の傾斜面９と略平行に対向するので、傾斜対向面３１と傾斜面９との間に生じる隙間がホールカバー５の表側から見えない。したがって、ホールカバー５取付け状態におけるホールカバー５周りの見栄えが改善される。
【００３０】
また、トリム１に取り付けられたホールカバー５の切欠部２７にマイナスドライバー等を挿入してホールカバー５を引き上げると、抜け止め爪部２３が上記トリム１の第４開口縁３ｄ（支持部１０の先端面１０ａ）により内側に押されて撓み、該第４開口縁３ｄ（先端面１０ａ）を通過して離れ、その結果、ホールカバー５がトリム１から取り外される。
【００３１】
本実施形態によると、上述のように、上記ホールカバー５における当接部１９のカバー本体部５ａに対向する面１９ａを上記トリム１の延出部１４の延出端面１４ａに当接させることにより、ホールカバー５を上記第３開口縁３ｃに沿う方向に位置決めできるので、取付け作業が容易になる。
【００３２】
なお、上記実施形態では、抜け止め爪部２３をトリム１の第４開口縁３ｄに係止させたが、第３開口縁３ｃを除く開口縁であれば、第１開口縁３ａ又は第２開口縁３ｂ等、他の開口縁に係止させてもよい。
【００３３】
また、本発明のホールカバー取付構造は、バックドアトリム１に限らず、トランクサイドトリム、シートバック、ドアトリム、及びインストルメントパネル等、他のパネルにも適用できる。
【産業上の利用可能性】
【００３４】
本発明は、パネルに形成された略矩形状の開口に略矩形状のホールカバーを取り付けるホールカバー取付構造として有用である。
【符号の説明】
【００３５】
１      バックドアトリム（パネル） 
３      サービスホール（開口） 
３ａ    第１開口縁 
３ｂ    第２開口縁 
３ｃ    第３開口縁 
３ｄ    第４開口縁 
５      ホールカバー 
６      外縁 
９      傾斜面 
１０      支持部 
１２      垂直面 
１４      延出部 
１４ａ    延出端面（延出端縁） 
１５      引掛部 
１９      当接部 
２３      抜け止め爪部（係止部） 
３１      傾斜対向面 
【図１】
2012206643.tif 000003
【図２】
2012206643.tif 000004
【図３】
2012206643.tif 000005